(57)【要約】【課題】本発明は、記録ディスクメディアの高密度記録化を図ることができるとともに、歩留まりを向上させることができる記録ディスクカートリッジの製造方法を提供することを課題とする。【解決手段】本発明の記録ディスクカートリッジ１の製造方法は、上シャッタ２１を、ロータリシャッタ２０の周壁部を構成するシャッタウォール２３に固定する第１工程と、下シャッタ２２を、シャッタウォール２３に固定して、上シャッタ２１と下シャッタ２２との間に記録ディスクメディア３０を収容したロータリシャッタ２０を形成する第２工程と、ロータリシャッタ２０をカートリッジケース１０内に収容する第３工程とを備えることを特徴とする。【選択図】図５
2007149156.tif 000002
【特許請求の範囲】
【請求項１】
記録ディスクメディアと、前記記録ディスクメディアを収容するとともに前記記録ディスクメディアを外部に臨ませる開口部を有するカートリッジケースと、前記カートリッジケース内で回動して前記開口部を開閉する円盤形状のロータリシャッタとを備える記録ディスクカートリッジの製造方法であって、
前記開口部に対応した形状の切欠部を有する第１のシャッタプレートを、前記ロータリシャッタの周壁部を構成するシャッタウォールに固定する第１工程と、
前記開口部に対応した形状の切欠部を有する第２のシャッタプレートを、前記シャッタウォールに固定して、前記第１のシャッタプレートと前記第２のシャッタプレートとの間に前記記録ディスクメディアを収容したロータリシャッタを形成する第２工程と、
前記ロータリシャッタを前記カートリッジケース内に収容する第３工程と、
を備えることを特徴とする記録ディスクカートリッジの製造方法。
【請求項２】
前記第３工程が、前記開口部に対応する形状の切欠部を有する第１のシェルプレートと、前記開口部に対応する形状の切欠部を有する第２のシェルプレートとの間に、前記カートリッジケースの周壁部を構成するフレーム部材を挟み込んで固定した前記カートリッジケース内に前記ロータリシャッタを収容する工程であることを特徴とする請求項１に記載の記録ディスクカートリッジの製造方法。
【発明の詳細な説明】
【技術分野】
【０００１】
本発明は、記録ディスクメディアと、記録ディスクメディアを収容するカートリッジケースとを備える記録ディスクカートリッジの製造方法に関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきているとともにその記録長はより短くなってきている。
【０００３】
従来、記録ディスクメディアをカートリッジケースに収容した記録ディスクカートリッジとしては、例えば特許文献１に記載のものが知られている。ここで、図９（ａ）は、従来の記録ディスクカートリッジの上側を前方左側から見下ろした様子を示す図、図９（ｂ）は、この記録ディスクカートリッジの製造工程を示す模式図である。
【０００４】
図９（ａ）に示すように、従来の記録ディスクカートリッジ８００は、その外観が厚さの薄い略直方体であって、カートリッジケース８１０の内部に回動可能に配置されたロータリシャッタ８２０と、このロータリシャッタ８２０の内部に回転自在に配置された記録ディスクメディア８３０とを備えている。この記録ディスクカートリッジ８００では、図示しない専用のドライブ装置に装填された際に、ロータリシャッタ８２０が回動することでロータリシャッタ８２０の切欠部８２１がカートリッジケース８１０のアクセス用開口部８１３と重なり合って、記録ディスクメディア８３０が外部に臨むようになっている。
【０００５】
このような記録ディスクカートリッジ８００は、一般に次のようにして製造される。
まず、従来の製造方法では、金属プレートに絞り加工が施されることによって、カートリッジケース８１０の上半体を構成する上シェル８１１、及び下半体を構成する下シェル８１２、並びにロータリシャッタ８２０の上半体を構成する上シャッタ８２３、及び下シャッタ８２４が形成される。
【０００６】
そして、図９（ｂ）の上側に示すように、上シャッタ８２３が、カートリッジケース８１０の上半体を構成する上シェル８１１にセンタピン８５０で回転可能に取り付けられる。その一方で、カートリッジケース８１０の下半体を構成する下シェル８１２上に、下シャッタ８２４が配置され、この下シャッタ８２４上に記録ディスクメディア８３０が配置される。そして、下シェル８１２に対する下シャッタ８２４、及び記録ディスクメディア８３０の所定の位置決めが行われた後に、上シェル８１１と下シェル８１２とが組み合わせられる。このとき、図９（ｂ）の下側に示すように、上シェル８１１と下シェル８１２との間にはグリップ８３３が組み付けられるとともに、上シャッタ８２３と下シャッタ８２４とは、相互に嵌り合って記録ディスクメディア８３０を内蔵するロータリシャッタ８２０を形成する。そして、上シェル８１１と下シェル８１２との合わせ目がレーザ溶接等で接合されることで、記録ディスクカートリッジ８００は完成する。その後、ロータリシャッタ８２０に内蔵される記録ディスクメディア８３０には、サーボ信号が書き込まれるとともに、書き込まれたサーボ信号がベリファイされることとなる。
【特許文献１】米国特許第６２５６１６８号明細書
【発明の開示】
【発明が解決しようとする課題】
【０００７】
しかしながら、このような従来の製造方法では、上シェル８１１と下シェル８１２とが組み合わせられた際にロータリシャッタ８２０が形成されるために、下シェル８１２に対する下シャッタ８２４、及び記録ディスクメディア８３０の位置決めや、グリップ８３３の組み付けの際に、記録ディスクメディア８３０が外部に露出している。
【０００８】
そのために、記録ディスクメディア８３０に対する人の手指の接触や、大気中に舞う塵埃等によって記録ディスクメディア８３０が汚損する恐れがある。そして、記録ディスクメディア８３０が高密度記録化されると、従来は問題とならなかった程度の汚損であっても、記録ディスクメディア８３０に対する適正な記録再生が阻害されることとなる。
【０００９】
また、従来の製造方法では、記録ディスクカートリッジ８００が完成した後に、記録ディスクメディア８３０にサーボ信号が書き込まれるために、そのサーボ信号をベリファイした際にサーボ信号に欠陥が見つかると、記録ディスクカートリッジ８００自体を不良品として廃棄しなければならなかった。つまり、カートリッジケース８１０等が製品基準に適合しているにもかかわらず、記録ディスクメディア８３０のみが製品基準に適合しないことで記録ディスクカートリッジ８００自体を廃棄することは、記録ディスクカートリッジ８００の歩留まりを低下させることとなる。
【００１０】
そこで、本発明は、記録ディスクメディアの高密度記録化を図ることができるとともに、歩留まりを向上させることができる記録ディスクカートリッジの製造方法を提供することを課題とする。
【課題を解決するための手段】
【００１１】
前記課題を解決する本発明は、記録ディスクメディアと、前記記録ディスクメディアを収容するとともに前記記録ディスクメディアを外部に臨ませる開口部を有するカートリッジケースと、前記カートリッジケース内で回動して前記開口部を開閉する円盤形状のロータリシャッタとを備える記録ディスクカートリッジの製造方法であって、前記開口部に対応した形状の切欠部を有する第１のシャッタプレートを、前記ロータリシャッタの周壁部を構成するシャッタウォールに固定する第１工程と、前記開口部に対応した形状の切欠部を有する第２のシャッタプレートを、前記シャッタウォールに固定して、前記第１のシャッタプレートと前記第２のシャッタプレートとの間に前記記録ディスクメディアを収容したロータリシャッタを形成する第２工程と、前記ロータリシャッタを前記カートリッジケース内に収容する第３工程とを備えることを特徴とする。
【００１２】
この製造方法では、シャッタウォールに第１のシャッタプレートと第２のシャッタプレートとが固定されることでロータリシャッタの組み立てが完了するとともに、記録ディスクメディアは、ロータリシャッタで覆われることとなる。したがって、この製造方法によれば、記録ディスクメディアに対する人の手指の接触や、大気中に舞う塵埃等によって記録ディスクメディアが汚損する恐れが低減される。したがって、記録ディスクメディアに対する汚損が回避されることによって、高密度記録化された記録ディスクメディアを有するものであっても適正な記録再生を行うことができる。
【００１３】
また、この製造方法では、ロータリシャッタの完成時に、記録ディスクメディアがロータリシャッタに内蔵されているので、記録ディスクカートリッジが完成するまでの工程における記録ディスクメディアのハンドリング性が向上する。
【００１４】
また、この製造方法では、ロータリシャッタが完成する第２工程の終了段階で、記録ディスクメディアに対するサーボ信号の書き込み、及びそのベリファイが可能となる。したがって、この製造方法によれば、記録ディスクメディアに書き込まれたサーボ信号に欠陥が見つかったとしても、ロータリシャッタを廃棄すればよい。つまり、従来の製造方法と異なって、記録ディスクカートリッジ自体を不良品として廃棄することが免れるので、従来の製造方法と比較して記録ディスクカートリッジの歩留まりを向上させることができる。
【００１５】
また、このような製造方法においては、前記第３工程が、前記開口部に対応する形状の切欠部を有する第１のシェルプレートと、前記開口部に対応する形状の切欠部を有する第２のシェルプレートとの間に、前記カートリッジケースの周壁部を構成するフレーム部材を挟み込んで固定した前記カートリッジケース内に前記ロータリシャッタを収容する工程であってもよい。
【００１６】
この製造方法では、第１のシェルプレート上に、フレーム部材、ロータリシャッタ、及び第２のシェルプレートを順番に配置していきながらこれらを固定していくことで、ロータリシャッタを収容するカートリッジケースを容易に構築していくことができる。
【発明の効果】
【００１７】
本発明の記録ディスクカートリッジの製造方法によれば、記録ディスクメディアの高密度記録化を図ることができるとともに歩留まりを向上させることができる。
【発明を実施するための最良の形態】
【００１８】
本発明を実施するための最良の形態について詳細に説明する。ここでは、本発明の記録ディスクカートリッジの製造方法についての説明に先立って、まず記録ディスクカートリッジについて適宜図面を参照しながら説明する。参照する図面において、図１は、本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。図２は、図１の記録ディスクカートリッジの分解斜視図である。図３は、図１の記録ディスクカートリッジを構成する下シェル及びハブ孔シャッタを取り外したときの記録ディスクカートリッジの下側の様子を示す図である。なお、図３中、下シェルのガイド溝及びハブ孔シャッタは、便宜上、仮想線（二点鎖線）で表わしている。また、本実施形態において方向を説明する場合は、図１に示す前、後、右、左、上、下を基準として説明する。
【００１９】
図１（ａ）及び（ｂ）に示すように、本実施形態に係る記録ディスクカートリッジ１は、その外観が板状体であって、平面視で前側の輪郭が円弧状（アーチ状）となるように、そして後側の輪郭が略矩形となるように形成されている。この記録ディスクカートリッジ１は、後記する専用のドライブ装置Ｄ（図４参照）に、その前側から挿入されて使用される。ちなみに、記録ディスクカートリッジ１の後端は、その中間部が後方に膨らんでおり、記録ディスクカートリッジ１をドライブ装置Ｄに対して出し入れする際に把持し易くなっている。
【００２０】
この記録ディスクカートリッジ１は、カートリッジケース１０と、このカートリッジケース１０の内部に回動可能に配置されたロータリシャッタ２０と、このロータリシャッタ２０の内部に回転自在に配置された記録ディスクメディア３０と、後記するハブ孔シャッタ４０（図２参照）とを備えている。
【００２１】
＜カートリッジケース＞
カートリッジケース１０は、図１（ａ）及び（ｂ）に示すように、厚さの薄い箱状体であって、記録ディスクカートリッジ１の略外形を構成している。つまり、カートリッジケース１０は、前側が平面視で円弧（アーチ）状に形成されるとともに、後側、右側及び左側が平面視で略直線状に形成されている。このカートリッジケース１０の前側左寄りには、カートリッジケース１０内に収容された記録ディスクメディア３０を外部に臨ませるためのアクセス用開口部１０１が形成されている。そして、アクセス用開口部１０１は、ドライブ装置Ｄ（図４参照）のスイングアームＳＡ（図９参照）の動作に干渉しないように、平面視でくさび形状となっている。なお、このアクセス用開口部１０１は、特許請求の範囲にいう「開口部」に相当する。
【００２２】
このようなカートリッジケース１０は、図２に示すように、互いに対向して配置される金属製の上シェル１１及び下シェル１２と、この上シェル１１及び下シェル１２の間に介在してカートリッジケース１０の周壁となる合成樹脂製のフレーム部材１３とを備えて構成されている。なお、上シェル１１は、特許請求の範囲にいう「第１のシェルプレート」に相当し、下シェル１２は、「第２のシェルプレート」に相当する。ここでは、上シェル１１及び下シェル１２、並びにフレーム部材１３の順番で以下に説明する。
【００２３】
上シェル１１は、図２に示すように、主にカートリッジケース１０の平坦な上壁を構成し、下シェル１２は、主にカートリッジケース１０の平坦な下壁を構成している。このような上シェル１１及び下シェル１２のそれぞれには、アクセス用開口部１０１に対応する形状で切欠部１１１，１２１が形成されている。
【００２４】
そして、上シェル１１は、その左側に、折り曲げ加工して形成された平面視で直線状の折り曲げ部１１２ｄを有しており、その右側に、折り曲げ部１１２ｃを有している。下シェル１２は、その左側に、平面視で直線状の折り曲げ部１２２ｄを有しており、その右側に、折り曲げ部１２２ｃを有している。そして、下シェル１２の折り曲げ部１２２ｄ，１２２ｃが上シェル１１の折り曲げ部１１２ｄ，１１２ｃの内側に配置されるように、上シェル１１と下シェル１２とが組み合わされてカートリッジケース１０が形成されることとなる。このようなカートリッジケース１０では、上シェル１１の折り曲げ部１１２ｄ，１１２ｃと下シェル１２の折り曲げ部１２２ｄ，１２２ｃとが互いに隙間なく重なり合ってカートリッジケース１０の左右両側における直線状の周壁の一部を構成している。
【００２５】
そして、上シェル１１の中央部には、図２に示すように、ロータリシャッタ２０を回動可能に止め付けるセンタピン５０と係合する係合孔１１３が形成されている。
【００２６】
一方、下シェル１２の中央部には、記録ディスクメディア３０のハブ３２を外部に臨ませるハブ孔１２３が形成されている。そして、記録ディスクカートリッジ１がドライブ装置Ｄ（図４参照）に装填された際に、ドライブ装置Ｄのスピンドル（図示省略）が、このハブ孔１２３を介してハブ３２と係合することとなる。
また、下シェル１２は、ロータリシャッタ２０のシャッタノブ２４の軌道に沿って形成されたガイド溝１２４と、ハブ孔シャッタ４０を軸支するための内側（記録ディスクメディア３０側）に突出した２つの回動軸部１２５ａ，１２５ｂとを有している。
【００２７】
フレーム部材１３は、図１（ａ）及び（ｂ）に示すように、カートリッジケース１０の前側における周壁の一部を構成するアーチ状フレーム１３１と、主に後側の周壁を構成するベースフレーム１３２と、左側の周壁の一部を構成するＶノッチ部材１３３とを備えて構成されている。
【００２８】
図３に示すように、アーチ状フレーム１３１の内壁面１３１ａは、ロータリシャッタ２０の外形に沿うように平面視で略円弧状になっており、アーチ状フレーム１３１の外壁面１３１ｂは、カートリッジケース１０の前側の輪郭を形成するように平面視で円弧状（アーチ状）になっている。そして、ベースフレーム１３２の内壁面１３２ａは、記録ディスクメディア３０の外縁に沿うように平面視で円弧状（アーチ状）になっており、ベースフレーム１３２の外壁面１３２ｂはカートリッジケース１０の後側の輪郭を形成するように平面視で略直線状になっている。
【００２９】
アーチ状フレーム１３１の内壁面１３１ａには、後記するロック片７０を係止する係合溝１３１ｅが形成されている。この係合溝１３１ｅは、記録ディスクカートリッジ１の右側で開口している。
【００３０】
Ｖノッチ部材１３３は、図３に示すように、ロータリシャッタ２０を閉位置で止めるストッパとしての役割と、ドライブ装置Ｄ（図４参照）との係合部としての役割とを担う部材であって、記録ディスクカートリッジ１の左側における直線部の前端に位置している。
【００３１】
＜ロータリシャッタ＞
ロータリシャッタ２０は、図１（ａ）及び（ｂ）に示すように、アクセス用開口部１０１を開閉するためのシャッタであって、略円盤形状に形成されている。このロータリシャッタ２０は、中空構造を有しており、その内部には記録ディスクメディア３０が回転自在に収容されている。そして、ロータリシャッタ２０は、アクセス用開口部１０１と略同形状の切欠部２０１を有しており、図３に示すように、この切欠部２０１で記録ディスクメディア３０が露出している。
【００３２】
再び図２を参照すると、ロータリシャッタ２０は、金属プレートからなる略円形の上シャッタ２１及び下シャッタ２２と、これらの間に配置された合成樹脂製のシャッタウォール２３とを備えて構成されている。なお、上シャッタ２１は、特許請求の範囲にいう「第１のシャッタプレート」に相当し、下シャッタ２２は、「第２のシャッタプレート」に相当する。ここでは、上シャッタ２１及び下シャッタ２２、並びにシャッタウォール２３の順番で以下に説明する。
【００３３】
上シャッタ２１は、図２に示すように、主にロータリシャッタ２０の平坦な上壁を構成し、下シャッタ２２は、主にロータリシャッタ２０の平坦な下壁を構成している。上シャッタ２１には、上シェル１１の係合孔１１３に対応する位置に挿通孔２１２が形成されている。このような上シャッタ２１及び下シャッタ２２のそれぞれには、切欠部２０１に対応する形状で切欠部２１１，２２１が形成されている。
【００３４】
下シャッタ２２の中央部には、図２に示すように、記録ディスクメディア３０のハブ３２を外部に臨ませるハブ孔２２２が形成されている。ちなみに、本実施形態でのハブ孔２２２は、下シェル１２のハブ孔１２３と略同径になっている。そして、記録ディスクカートリッジ１がドライブ装置Ｄ（図４参照）に装填された際に、このハブ孔２２２と前記したカートリッジケース１０のハブ孔１２３とを介して、ドライブ装置Ｄのスピンドル（図示省略）が、ハブ３２に係合することとなる。
【００３５】
下シャッタ２２の下側には、図１（ｂ）に示すように、ロータリシャッタ２０を回動させるためのシャッタノブ２４が取り付けられている。このシャッタノブ２４は、カートリッジケース１０の下シェル１２に形成されたガイド溝１２４を介して、記録ディスクカートリッジ１の下側から突出している。
【００３６】
また、下シャッタ２２の下側には、図３に示すように、ハブ孔シャッタ４０の係合長孔４１３に係合する係合突起２２３ａと、係合長孔４２３に係合する係合突起２２３ｂとが立設されている。
【００３７】
そして、下シャッタ２２は、図２に示すように、その一部が上側に折り曲げ加工されることで形成されたロック片７０を備えている。このロック片７０は、ロータリシャッタ２０を閉位置でロックするためのものである。ロック片７０は、後記するように、上シャッタ２１と下シャッタ２２とが組み合わせられてロータリシャッタ２０が形成された際に、図３に示すように、ロータリシャッタ２０の周壁部２０ａからその略接線方向に延出する細長の金属片である。このロック片７０の先端部７１は、周壁部２０ａ側に向かってやや屈曲している。ちなみに、このロック片７０はバネ弾性を有している。
なお、上シャッタ２１及び下シャッタ２２のそれぞれの内側（記録ディスクメディア３０側）には、図２に示すように、記録ディスクメディア３０をクリーニングするとともに、記録ディスクメディア３０を保護する不織布等からなるライナ６０が設けられている。
【００３８】
シャッタウォール２３は、図２に示すように、ロータリシャッタ２０の上シャッタ２１及び下シャッタ２２の周縁に沿って延びるように配置されてロータリシャッタ２０の周壁部２０ａ（図３参照）を構成する部材である。このシャッタウォール２３は、ロータリシャッタ２０の切欠部２０１に相当する部分が切り欠かれた、平面視で「Ｃ」字形状（切欠リング状）の部材であって、合成樹脂で形成されている。
【００３９】
そして、カートリッジケース１０内でのロータリシャッタ２０は、図３に示すように、閉方向Ａ１に付勢されている。なお、この付勢手段としては、バネを有する公知の構造のものでよく、例えば、前記した特許文献１等に記載のものを使用することができる。そして、このように閉方向Ａ１に付勢されたロータリシャッタ２０は、Ｖノッチ部材１３３に当接することで閉位置に配置されてアクセス用開口部１０１（図１（ａ）（ｂ）参照）を閉じることとなる。ちなみに、本発明において、前記付勢手段は必須の構成要素ではなく、後記するように、ドライブ装置Ｄ（図４参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４０】
また、このような閉位置に配置されたロータリシャッタ２０では、ロック片７０の先端部７１が、アーチ状フレーム１３１の係合溝１３１ｅに嵌り込むことで、ロータリシャッタ２０の回動を制止している。そして、この先端部７１は、記録ディスクカートリッジ１の右側で開口している係合溝１３１ｅで外部に臨んでいる。
【００４１】
＜記録ディスクメディア＞
記録ディスクメディア３０は、データを記録する記録媒体であり、図２に示すように、フレキシブルディスク３１と、このフレキシブルディスク３１を支持するハブ３２とを備えて構成されている。
【００４２】
フレキシブルディスク３１は、例えば、ポリエステルシート等からなる円盤状の支持体の両面に磁性層等の記録層を形成したものである。
【００４３】
ハブ３２は、フレキシブルディスク３１を支持する金属製の円盤状部材である。又はブ３２は、上面にフレキシブルディスク３１の取り付け部（図示省略）を備えるとともに、下面にドライブ装置Ｄ（図４参照）のスピンドル（図示省略）にチャックされるチャック部３２１（図３参照）を備えている。
【００４４】
＜ハブ孔シャッタ＞
ハブ孔シャッタ４０は、図２に示すように、板状の第１シャッタ４１と第２シャッタ４２とで構成されている。このハブ孔シャッタ４０は、図３に示すように、ハブ３２を両側から挟み付けるようにしてハブ孔１２３（図３中、ハブ孔２２２と重なって見える）のハブ３２周りで形成される隙間を閉じるシャッタである。
【００４５】
第１シャッタ４１は、図３に示すように、その一端部に形成された軸孔４１１に下シェル１２の回動軸部１２５ａが差し込まれることで、回動軸部１２５ａ周りで回動可能になっている。また、第２シャッタ４２は、その一端部に形成された軸孔４２１に下シェル１２の回動軸部１２５ｂが差し込まれることで、回動軸部１２５ｂ周りで回動可能になっている。そして、第１シャッタ４１及び第２シャッタ４２のそれぞれの他端部には、ハブ３２の径に合わせ込むように切り欠かれた半円形の切欠４１２，４２２が形成されている。
【００４６】
また、図３に示すように、第１シャッタ４１には、下シャッタ２２の係合突起２２３ａが係合する係合長孔４１３が形成されており、第２シャッタ４２には、係合突起２２３ｂが係合する係合長孔４２３が形成されている。ちなみに、ロータリシャッタ２０が閉位置に配置されている際には、係合突起２２３ａが係合長孔４１３の後端側に位置し、係合突起２２３ｂが係合長孔４２３の前端側に位置している。
【００４７】
なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が前記した隙間を開閉するように設計されている。
【００４８】
次に、記録ディスクカートリッジ１の動作について適宜図面を参照しながら説明する。参照する図面において、図４は、図１の記録ディスクカートリッジをドライブ装置に装填する際の記録ディスクカートリッジの動作を説明するための斜視図であり、記録ディスクカートリッジの下側を見上げた様子を示す図である。
【００４９】
図４に示すように、ドライブ装置Ｄに挿入される前（通常時）の記録ディスクカートリッジ１では、ロータリシャッタ２０が前記した閉位置に配置されることでアクセス用開口部１０１が閉じている。そして、ハブ孔シャッタ４０は、ハブ孔１２３のハブ３２周りで形成される隙間Ｓを閉じている。そのため、アクセス用開口部１０１や隙間Ｓから記録ディスクカートリッジ１内に塵埃が入り込むことが防止されるとともに、記録ディスクメディア３０が外部に露出しないので汚損されることが防止される。このとき、図３に示すように、ロック片７０の先端部７１は、アーチ状フレーム１３１の係合溝１３１ｅに係合しているので、ロータリシャッタ２０は回動しない。したがって、ロータリシャッタ２０が不用意に回動して、アクセス用開口部１０１や隙間Ｓ（図４参照）が開かれることが防止される。なお、このようにロータリシャッタ２０が閉位置に配置される場合、シャッタノブ２４は、下シェル１２のガイド溝１２４の前方に位置している。
【００５０】
そして、図４に示すように、記録ディスクカートリッジ１がドライブ装置Ｄに挿入されると、ドライブ装置Ｄ内のロック解除ピン（図示省略）が、図３に示すロック片７０の先端部７１を内側方向Ａ６に押圧する。その結果、ロック片７０と係合溝１３１ｅとの係合が解除されることで、ロータリシャッタ２０が回動可能となる。
【００５１】
その一方で、シャッタノブ２４は、図４に示すように、ドライブ装置Ｄのシャッタノブ係止部Ｄ１に当接する。そして、記録ディスクカートリッジ１をさらに挿入していくにしたがって、シャッタノブ２４は、図３に示すように、ガイド溝１２４内を後方向Ａ２に向かって移動する。その結果、シャッタノブ２４が後方向Ａ２に移動するにしたがって、ロータリシャッタ２０は、カートリッジケース１０内でセンタピン５０（図２参照）周りに開方向Ａ３に回動する。つまり、このようなロータリシャッタ２０の回動に伴って、アクセス用開口部１０１が、ドライブ装置Ｄ内で徐々に開いていく。
【００５２】
このようにドライブ装置Ｄに記録ディスクカートリッジ１が挿入されていく際に、ロータリシャッタ２０が、前記したように開方向Ａ３に向かって回動すると、下シャッタ２２の係合突起２２３ａが、周方向Ａ４に向かって回動するとともに、係合突起２２３ｂが、周方向Ａ４に向かって回動する。その結果、係合突起２２３ａが係合長孔４１３内を後端側に向かって移動することで、第１シャッタ４１は、切欠４１２がハブ３２から離れる方向Ａ５に向かって回動軸部１２５ａ周りに回動する。そして、係合突起２２３ｂが係合長孔４２３内を前端側に向かって移動することで、第２シャッタ４２は、切欠４２２がハブ３２から離れる方向Ａ５に向かって回動軸部１２５ｂ周りに回動する。その結果、ハブ孔シャッタ４０によるハブ３２の挟持状態が解除されるので、ドライブ装置Ｄのスピンドル（図示省略）によるハブ３２の回転が阻害されることがない。
【００５３】
また、記録ディスクカートリッジ１がドライブ装置Ｄから取り出される際には、ロータリシャッタ２０が付勢手段（図示省略）によって閉方向Ａ１に向かって回動することで前記した閉位置に戻る。そして、このロータリシャッタ２０の回動に伴って、係合突起２２３ａが係合長孔４１３内を前端側に向かって移動し、係合突起２２３ｂが係合長孔４２３内を後端側に向かって移動することで、ハブ孔シャッタ４０は、前記した隙間Ｓ（図４参照）を閉じる。そして、このようにロータリシャッタ２０が閉位置に戻ると、前記したようにロック片７０がロータリシャッタ２０をロックすることで、ロータリシャッタ２０の回動は制止される。
【００５４】
なお、本実施形態では、ロータリシャッタ２０を閉方向Ａ１に付勢する付勢手段（図示省略）を有する記録ディスクカートリッジ１を例示しているが、本発明は付勢手段を省略したものであってもよい。この記録ディスクカートリッジ１では、例えば、スロット（図示省略）の近傍にシャッタノブ２４の係止手段（例えば、シャッタノブ２４のクランプ装置）を備えるドライブ装置Ｄを使用することによって、このドライブ装置Ｄへの挿入時には、係止手段でシャッタノブ２４が係止されることで、ロータリシャッタ２０がアクセス用開口部１０１を開き、ハブ孔シャッタ４０がハブ孔１２３を開く。そして、ドライブ装置Ｄから記録ディスクカートリッジ１を引き抜く際には、係止手段でシャッタノブ２４が係止されているので、ロータリシャッタ２０がアクセス用開口部１０１を閉じるとともに、ハブ孔シャッタ４０がハブ孔１２３を閉じる。この際、係止手段がシャッタノブ２４を係止する強さは、ロータリシャッタ２０を回動させるには充分であり、シャッタノブ２４の係止を操作者が容易に解除できる程度に設定される。
【００５５】
次に、記録ディスクカートリッジ１の製造方法について適宜図面を参照しながら説明する。参照する図面において、図５（ａ）から（ｅ）は、図１の記録ディスクカートリッジの製造工程を説明するための模式図である。図６は、ロータリシャッタの分解斜視図であり、切欠部近傍の拡大図である。図７（ａ）は、図３のＸ−Ｘ断面図であり、図７（ｂ）は、図３のＹ−Ｙ断面図である。図８は、カートリッジケースの分解斜視図である。
【００５６】
まず、この記録ディスクカートリッジ１の製造方法では、カートリッジケース１０を構成する上シェル１１、下シェル１２、及びフレーム部材１３、ロータリシャッタ２０を構成する上シャッタ２１、下シャッタ２２、及びシャッタウォール２３、並びにハブ孔シャッタ４０を構成する第１シャッタ４１及び第２シャッタ４２のそれぞれが形成される。
【００５７】
カートリッジケース１０を構成する上シェル１１及び下シェル１２は、例えばステンレス鋼等の金属プレートに打ち抜き加工や、折り曲げ加工が施されることによって形成される。これらの加工工程で、上シェル１１には、図２に示すように、切欠部１１１、係合孔１１３、及び折り曲げ部１１２ｃ，１１２ｄが形成され、下シェル１２には、切欠部１２１、ガイド溝１２４、ハブ孔１２３、及び折り曲げ部１２２ｃ，１２２ｄが形成される。また、下シェル１２には、バーリング加工によって、回動軸部１２５ａ及び回動軸部１２５ｂが形成される。
また、カートリッジケース１０を構成するフレーム部材１３は、合成樹脂を射出成形して形成される。
【００５８】
ロータリシャッタ２０を構成する上シャッタ２１及び下シャッタ２２は、例えばステンレスやアルミニウム合金等の金属プレートに打ち抜き加工や、折り曲げ加工が施されることによって形成される。この加工工程で、上シャッタ２１には、図２に示すように、切欠部２１１、及び挿通孔２１２が形成され、下シャッタ２２には、切欠部２２１、ハブ孔２２２、及びロック片７０が形成される。そして、下シャッタ２２には、図３に示すように、バーリング加工によって、係合突起２２３ａ及び係合突起２２３ｂが形成される。また、上シャッタ２１及び下シャッタ２２には、ライナ６０が貼付される。
そして、ロータリシャッタ２０を構成するシャッタウォール２３は、合成樹脂を射出成形して形成される。なお、この射出成形でシャッタウォール２３には、シャッタノブ２４を一体に形成することができる。
【００５９】
ハブ孔シャッタ４０を構成する第１シャッタ４１及び第２シャッタ４２は、例えばステンレス鋼等の金属プレートに打ち抜き加工が施されることによって形成される。この加工工程で、図２に示すように、第１シャッタ４１には、軸孔４１１、切欠４１２、及び係合長孔４１３が形成され、第２シャッタ４２には、軸孔４２１、切欠４２２、及び係合長孔４２３が形成される。
【００６０】
そして、この製造方法は、図５（ａ）に示すように、上シャッタ２１を、シャッタウォール２３に固定する工程（第１工程）と、図５（ｂ）に示すように、下シャッタ２２をシャッタウォール２３に固定して、上シャッタ２１と下シャッタ２２との間に記録ディスクメディア３０を収容するロータリシャッタ２０を形成する工程（第２工程）と、図５（ｃ）から図５（ｅ）に示すように、ロータリシャッタ２０をカートリッジケース１０内に収容する工程（第３工程）とを備える。
【００６１】
シャッタウォール２３に対する上シャッタ２１及び下シャッタ２２の固定方法としては、特に制限はなく、例えば、かしめ、接着、ネジ止め等の公知の方法が挙げられる。ここでは、かしめによって固定する方法を例にとって以下に説明する。
【００６２】
図６に示すように、上シャッタ２１及び下シャッタ２２のそれぞれには、その外周側に、ギヤ状に凹部２ｂと凸部２ａとが交互に周方向Ｒに沿って連続して並ぶ凹凸２が形成される。そして、シャッタウォール２３には、上シャッタ２１及び下シャッタ２２の厚さ以上の深さで、ギヤ状の凹凸２を構成する凸部２ａを受け入れる窪み２ｃが形成される。
【００６３】
凸部２ａには、第１のボス孔５、又は第２のボス孔６が形成される。第１のボス孔５は、円孔であって、切欠部２０１に隣接する２箇所、つまり、図３に示すように、切欠部２０１を挟む端位置に形成される。この第１のボス孔５の最小内径は、後記するボス７の外径よりも大きくなっている。第２のボス孔６は、図５に示すように、上シャッタ２１及び下シャッタ２２の周方向に径が長い長孔であって、図３に示すように、２つの第１のボス孔５の間に複数形成される。この第２のボス孔６の最小幅（上シャッタ２１等の径方向の最小幅）は、後記するボス７の外径と略同程度でよい。
【００６４】
その一方で、シャッタウォール２３には、図６に示すように、その上下であって、上シャッタ２１及び下シャッタ２２の第１のボス孔５と第２のボス孔６に対応する位置にボス７が複数立設される。つまり、第１のボス孔５と第２のボス孔６とは、シャッタウォール２３の窪み２ｃに形成される。
【００６５】
図５（ａ）に示す工程（第１工程）では、上シャッタ２１の凸部２ａ（図６参照）が、シャッタウォール２３の窪み２ｃ（図６参照）と噛み合うように配置される。このときシャッタウォール２３の上側のボス７（図６参照）は、上シャッタ２１の第１のボス孔５（図６参照）と第２のボス孔６（図６参照）とに挿通されることとなる。そして、ボス７がかしめられることによって上シャッタ２１がシャッタウォール２３に固定される。このとき、図７（ａ）及び（ｂ）に示すように、ボス７は、第１のボス孔５（第２のボス孔６）内に収まるように、つまり第１のボス孔５（第２のボス孔６）からボス７が突出しないようにかしめられる。この「かしめ」の方法としては、公知のものでよく、例えば、熱間かしめ法、冷間かしめ法等が挙げられる。そして、第１のボス孔５は、図７（ａ）に示すように、シャッタウォール２３側から離れる方向に拡径するテーパ部５ａを有しているものが好ましく、第２のボス孔６は、図７（ｂ）に示すように、その幅方向（上シャッタ２１等の径方向の幅）が、シャッタウォール２３側から離れる方向に拡径するテーパ部５ｂを有しているものが好ましい。つまり、ボス７がテーパ部５ａの位置及びテーパ部５ｂの位置でかしめられることで、第１のボス孔５及び第２のボス孔６からボス７が抜け出ることが確実に防止される。その結果、上シャッタ２１は、より強固にシャッタウォール２３に固定される。
【００６６】
図５（ｂ）に示す工程（第２工程）では、下シャッタ２２の凸部２ａ（図６参照）が、シャッタウォール２３の窪み２ｃ（図６参照）と噛み合うように配置される。このとき、図５（ｂ）に示すように、上シャッタ２１と下シャッタ２２との間には、記録ディスクメディア３０が配置されるとともに、シャッタウォール２３の下側のボス７（図６参照）は、下シャッタ２２の第１のボス孔５（図６参照）と第２のボス孔６（図６参照）とに挿通されることとなる。そして、ボス７が前記したと同様にしてかしめられることによって下シャッタ２２がシャッタウォール２３に固定される（図７（ａ）（ｂ）参照）。その結果、記録ディスクメディア３０を内蔵するロータリシャッタ２０が形成される。
そして、この製造方法では、専用のサーボライタ（図示せず）にロータリシャッタ２０が装填されることで、記録ディスクメディア３０に対するサーボ信号の書き込み、及びそのベリファイが行われる。
【００６７】
図５（ｃ）から図５（ｅ）に示す工程（第３工程）では、上シェル１１と、下シェル１２との間に、フレーム部材１３を挟み込んで固定したカートリッジケース１０が形成されるとともに、このカートリッジケース１０内にロータリシャッタ２０が収容される。フレーム部材１３に対する上シェル１１及び下シェル１２の固定方法としては、特に制限はなく、例えば、かしめ、接着、ネジ止め等の公知の方法が挙げられる。ここでは、かしめによって固定する方法を例にとって以下に説明する。
【００６８】
図８に示すように、上シェル１１及び下シェル１２の縁部には、フレーム部材１３としてのアーチ状フレーム１３１とベースフレーム１３２が取り付けられる箇所にボス孔１５が形成される。このボス孔１５は、前記した第１のボス孔５（図６参照）と同様の円孔である。このボス孔１５の最小内径は、後記するボス１６の外径よりも大きくなっている。
【００６９】
その一方で、フレーム部材１３としてのアーチ状フレーム１３１、ベースフレーム１３２、及びＶノッチ部材１３３には、図８に示すように、その上側であって、上シェル１１のボス孔１５と対応する位置にボス１６が立設される。そして、アーチ状フレーム１３１、ベースフレーム１３２、及びＶノッチ部材１３３の下側にも、図示しないが、下シェル１２のボス孔１５と対応する位置にボス１６が立設される。
【００７０】
図５（ｃ）に示す工程では、上シェル１１にフレーム部材１３が配置される。このときアーチ状フレーム１３１、ベースフレーム１３２、及びＶノッチ部材１３３の上側のボス１６（図８参照）は、上シェル１１のボス孔１５（図８参照）に挿通されることとなる。そして、ボス１６がかしめられることによって、上シェル１１には、アーチ状フレーム１３１、ベースフレーム１３２、及びＶノッチ部材１３３が固定される。この「かしめ」の方法としては、公知のものでよく、例えば、熱間かしめ法、冷間かしめ法等が挙げられる。そして、ボス孔１５は、図示しないが、前記した第１のボス孔５（図７（ａ）参照）と同様にテーパ部５ａ（図７（ａ）参照）を有しているものが好ましい。
【００７１】
図５（ｄ）に示す工程では、ロータリシャッタ２０が上シェル１１にセンタピン５０で回動可能に取り付けられる。このセンタピン５０は、ロータリシャッタ２０の挿通孔２１２、及び上シェル１１の係合孔１１３に挿通されるとともに、その先端がかしめられることでロータリシャッタ２０を上シェル１１に取り付けている。このとき、図３に示すように、ロータリシャッタ２０のロック片７０の先端部７１は、アーチ状フレーム１３１の係合溝１３１ｅに嵌め込まれる。そして、図３に示すように、ロータリシャッタ２０に取り付けられた係合突起２２３ａ、及び係合突起２２３ｂのそれぞれに、ハブ孔シャッタ４０の係合長孔４１３，４２３が嵌め入れられる。
【００７２】
図５（ｅ）に示す工程では、フレーム部材１３に下シェル１２が配置される。このときフレーム部材１３（アーチ状フレーム１３１、ベースフレーム１３２、及びＶノッチ部材１３３（図８参照））の下側のボス（図示せず）は、下シェル１２のボス孔１５（図８参照）に挿通されるとともに、図２に示す下シェル１２に取り付けられた回動軸部１２５ａ，１２５ｂのそれぞれは、ハブ孔シャッタ４０の軸孔４１１，４１２に挿通されることとなる。また、シャッタノブ２４は、下シェル１２のガイド溝１２４に挿通されることとなる。そして、前記したと同様に、ボス１６がかしめられることによって、フレーム部材１３に上シェル１１が固定されて、記録ディスクカートリッジ１が完成する。
【００７３】
以上のような、記録ディスクカートリッジ１の製造方法では、シャッタウォール２３に上シャッタ２１と下シャッタ２２とが固定されることでロータリシャッタ２０の組み立てが完了するとともに、記録ディスクメディア３０は、切欠部２０１を除いてロータリシャッタ２０で覆われることとなる。したがって、この製造方法によれば、記録ディスクメディア３０に対する人の手指の接触や、大気中に舞う塵埃等によって記録ディスクメディア３０が汚損する恐れが低減される。したがって、記録ディスクメディア３０に対する汚損が回避されることによって、高密度記録化された記録ディスクメディア３０を有するものであっても適正な記録再生を行うことができる。
【００７４】
また、この製造方法では、ロータリシャッタ２０の完成時に、記録ディスクメディア３０がロータリシャッタ２０に内蔵されているので、記録ディスクカートリッジ１が完成するまでの工程における記録ディスクメディア３０のハンドリング性が向上する。
【００７５】
また、この製造方法では、ロータリシャッタ２０が完成した段階（図５（ｂ）に示す工程（第２工程）の終了段階）で、記録ディスクメディア３０に対するサーボ信号の書き込み、及びそのベリファイが可能となる。したがって、この製造方法によれば、記録ディスクメディア３０に書き込まれたサーボ信号に欠陥が見つかったとしても、ロータリシャッタ２０を廃棄すればよい。つまり、従来の製造方法と異なって、記録ディスクカートリッジ１自体を不良品として廃棄することが免れるので、従来の製造方法と比較して記録ディスクカートリッジ１の歩留まりを向上させることができる。
【００７６】
また、この製造方法によれば、上シェル１１上に、フレーム部材１３、ロータリシャッタ２０、及び下シェル１２を順番に配置していきながらこれらを固定していくことで、ロータリシャッタ２０を収容するカートリッジケース１０を容易に構築していくことができる。
【００７７】
以上、本発明の好適な実施形態について説明したが、本発明は前記実施形態に限定されるものではない。
前記実施形態では、上シャッタ２１を固定したシャッタウォール２３に、下シャッタ２２を固定してロータリシャッタ２０を形成しているが、本発明はこれに限定されるものではなく、下シャッタ２２を固定したシャッタウォール２３に、上シャッタ２１を固定してロータリシャッタ２０を形成してもよい。
【図面の簡単な説明】
【００７８】
【図１】本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。
【図２】図１の記録ディスクカートリッジの分解斜視図である。
【図３】図１の記録ディスクカートリッジを構成する下シェル及びハブ孔シャッタを取り外したときの記録ディスクカートリッジの下側の様子を示す図である。
【図４】図１の記録ディスクカートリッジをドライブ装置に装填する際の記録ディスクカートリッジの動作を説明するための斜視図であり、記録ディスクカートリッジの下側を見上げた様子を示す図である。
【図５】（ａ）から（ｅ）は、図１の記録ディスクカートリッジの製造工程を説明するための模式図である。
【図６】ロータリシャッタの分解斜視図であり、切欠部近傍の拡大図である。
【図７】（ａ）は、図３のＸ−Ｘ断面図であり、（ｂ）は、図３のＹ−Ｙ断面図である。
【図８】カートリッジケースの分解斜視図である。
【図９】（ａ）は、従来の記録ディスクカートリッジの上側を前方左側から見下ろした様子を示す図、（ｂ）は、この記録ディスクカートリッジの製造工程を説明するための模式図である。
【符号の説明】
【００７９】
１      記録ディスクカートリッジ
１０    カートリッジケース
１１    上シェル（第１のシェルプレート）
１２    下シェル（第２のシェルプレート）
１３    フレーム部材
２０    ロータリシャッタ
２０ａ  周壁部
２１    上シャッタ（第１のシャッタプレート）
２２    下シャッタ（第２のシャッタプレート）
２３    シャッタウォール
３０    記録ディスクメディア
１０１  アクセス用開口部（開口部）
１３１  アーチ状フレーム
１３２  ベースフレーム
１３３  Ｖノッチ部材
【図１】
2007149156.tif 000003
【図２】
2007149156.tif 000004
【図３】
2007149156.tif 000005
【図４】
2007149156.tif 000006
【図５】
2007149156.tif 000007
【図６】
2007149156.tif 000008
【図７】
2007149156.tif 000009
【図８】
2007149156.tif 000010
【図９】
2007149156.tif 000011